(57)【要約】【課題】呼出しの報知を効率的に行う。【解決手段】電話網からの呼出しを検知する呼出検知部と、報知を行うスピーカと、無線タグを検知する移動体検知部とを備える電話機の制御方法である。呼出検知部が呼出しを検知すると、移動体検知部が無線タグを検知したか否かを判断する（Ｓ１０）。検知した場合には、直ちに呼出しの報知を開始する（Ｓ１１）。一方、検知していない場合には、所定期間経過するまで待機し（Ｓ１４）、その間に呼出しが終了しなかったときに、呼出しの報知を開始する（Ｓ１１）。【選択図】図１
2009005026.tif 000002
【特許請求の範囲】
【請求項１】
電話網からの呼出しを検知する呼出検知手段と、報知を行う報知手段と、前記呼出検知手段が前記呼出しを検知すると、前記呼出しの報知を行うように前記報知手段を制御する呼出報知制御手段とを備える電話機であって、
移動可能な物体である移動体を検知する移動体検知手段を備えており、
前記呼出報知制御手段は、前記移動体検知手段が前記移動体の存在を検知している場合、前記呼出しの検知時から前記呼出しの報知を行う一方、前記移動体検知手段が前記移動体の存在を検知していない場合、前記呼出しの検知時から後に前記呼出しの報知を行うように前記報知手段を制御することを特徴とする電話機。
【請求項２】
電話網からの呼出しを検知する呼出検知手段と、呼出先と通話を行う通話手段とを備える電話機であって、
移動可能な物体である移動体を検知する移動体検知手段と、
前記呼出検知手段が前記呼出しを検知し、かつ前記移動体検知手段が前記移動体の存在を検知する場合、通話を開始するように前記通話手段を制御する通話制御手段とを備えることを特徴とする電話機。
【請求項３】
電話網に接続される電話機であって、
他の電話機である他機が、移動可能な物体である移動体を検知するかを示す検知結果を受信する受信手段と、
複数の前記他機に対し呼出しを行う場合、前記移動体の存在を検知する検知結果の送信元である前記他機に対し呼出しを行うと共に、該呼出しから後に、残りの前記他機に対し呼出しを行う呼出し手段とを備えることを特徴とする電話機。
【請求項４】
電話網に接続される電話機であって、
他の電話機である他機が、移動可能な物体である移動体を検知するかを示す検知結果を受信する受信手段と、
該受信手段が受信した検知結果と、該検知結果の送信元である前記他機の識別情報とを対応付けた検知情報を記憶する記憶手段と、
複数の前記他機から呼出先を選択する呼出先選択手段と、
該呼出先選択手段が呼出先を選択する場合に、前記記憶手段が記憶する検知情報に基づいて、前記呼出先の候補を出力する出力手段とを備えることを特徴とする電話機。
【請求項５】
前記出力手段は、前記他機の識別情報と、前記他機の検知結果に対応するマークを付した情報とを、前記他機ごとに出力することを特徴とする請求項４に記載の電話機。
【請求項６】
前記出力手段は、前記移動体の存在を検知する検知結果に対応する前記他機の識別情報を出力することを特徴とする請求項４に記載の電話機。
【請求項７】
前記出力手段は、複数の前記他機の識別情報を前記呼出先の候補として出力する場合に、前記移動体の存在を検知する検知結果に対応する前記他機の識別情報を強調して出力することを特徴とする請求項４に記載の電話機。
【請求項８】
前記受信手段は、前記検知結果と共に、前記移動体の識別情報を受信しており、
前記記憶手段が記憶する検知情報は、前記検知結果および前記移動体の識別情報と前記他機の識別情報とを対応付けたものであり、
前記出力手段は、複数の前記他機の識別情報を前記呼出先の候補として出力する場合に、前記移動体の存在を検知する検知結果に対応する前記他機の識別情報に対し、前記移動体の識別情報を追加して出力することを特徴とする請求項４に記載の電話機。
【請求項９】
前記他機からの呼出しを検知する呼出検知手段と、
報知を行う報知手段と、
前記呼出検知手段が前記呼出しを検知すると、前記呼出しの報知を行うように前記報知手段を制御する呼出報知制御手段とをさらに備えており、
該呼出報知制御手段は、前記記憶手段の前記検知情報を参照して、呼出元の前記他機の識別情報に対応する前記移動体の識別情報を報知するように前記報知手段を制御することを特徴とする請求項８に記載の電話機。
【請求項１０】
前記呼出先選択手段が選択した呼出先の他機に対応する移動体の識別情報を、前記受信手段が別の他機から受信した場合、前記呼出先選択手段は、前記別の他機を呼出先として変更することを特徴とする請求項８に記載の電話機。
【請求項１１】
前記受信手段は、前記検知結果と共に、ユーザが携帯可能な携帯デバイスに記憶された該携帯デバイスの識別情報を受信しており、
前記記憶手段は、前記携帯デバイスの識別情報と、前記ユーザの識別情報とを対応付けたデバイス・ユーザ対応テーブルをさらに記憶しており、
前記出力手段は、複数の前記他機の識別情報を前記呼出先の候補として出力する場合に、前記移動体の存在を検知する検知結果に対応する前記他機の識別情報に対し、前記検知結果と共に受信した前記携帯デバイスの識別情報に対応する前記ユーザの識別情報を追加して出力することを特徴とする請求項４に記載の電話機。
【請求項１２】
前記呼出先選択手段が、前記検知結果が前記移動体の存在を検知するものである前記他機を呼出先として選択する場合、前記呼出先を呼び出して直ちに通話を開始する通話制御手段をさらに備えることを特徴とする請求項４に記載の電話機。
【請求項１３】
請求項１ないし１２の何れか１項に記載の電話機が電話網を介して複数個接続された電話システム。
【請求項１４】
前記複数の電話機は、互いに無線で通信することを特徴とする請求項１３に記載の電話システム。
【請求項１５】
請求項１ないし１２の何れか１項に記載の電話機としてコンピュータを機能させるための電話機制御プログラムであって、コンピュータを上記の各手段として機能させるための電話機制御プログラム。
【請求項１６】
請求項１５に記載の電話機制御プログラムが記録されたコンピュータ読取り可能な記録媒体。
【請求項１７】
電話網からの呼出しを検知する呼出検知手段と、報知を行う報知手段と、移動可能な物体である移動体を検知する移動体検知手段とを備える電話機の制御方法であって、
前記呼出検知手段が前記呼出しを検知すると、前記移動体検知手段が前記移動体の存在を検知している場合には、前記呼出しの検知時から前記呼出しの報知を行う一方、前記移動体検知手段が前記移動体の存在を検知していない場合には、前記呼出しの検知時から後に前記呼出しの報知を行うように前記報知手段を制御する呼出報知制御ステップを含むことを特徴とする電話機の制御方法。
【請求項１８】
電話網からの呼出しを検知する呼出検知手段と、呼出先と通話を行う通話手段と、移動可能な物体である移動体を検知する移動体検知手段とを備える電話機の制御方法であって、
前記呼出検知手段が前記呼出しを検知し、かつ前記移動体検知手段が前記移動体の存在を検知する場合、通話を開始するように前記通話手段を制御する通話制御ステップを含むことを特徴とする電話機の制御方法。
【請求項１９】
電話網に接続される電話機の制御方法であって、
他の電話機である他機が、移動可能な物体である移動体を検知するかを示す検知結果を受信する受信ステップと、
複数の前記他機に対し呼出しを行う場合、前記移動体の存在を検知する検知結果の送信元である前記他機に対し呼出しを行うと共に、該呼出しから後に、残りの前記他機に対し呼出しを行う呼出しステップとを含むことを特徴とする電話機の制御方法。
【請求項２０】
電話網に接続される電話機の制御方法であって、
他の電話機である他機が、移動可能な物体である移動体を検知するかを示す検知結果を受信する受信ステップと、
該受信ステップにて受信された検知結果と、該検知結果の送信元である前記他機の識別情報とを対応付けた検知情報を記憶手段に記憶する記憶ステップと、
複数の前記他機から呼出先を選択する呼出先選択ステップとを含んでおり、
該呼出先選択ステップは、前記記憶手段が記憶する検知情報に基づいて、前記呼出先の候補を出力する出力ステップとを含むことを特徴とする電話機の制御方法。
【発明の詳細な説明】
【技術分野】
【０００１】
本発明は、電話網に接続される電話機およびその制御方法、電話機システム、電話機制御プログラム、並びに、該プログラムを記録した記録媒体に関するものである。特に、本発明は、コードレス電話システムに利用される電話機に関するものである。
【背景技術】
【０００２】
近時、コードレス電話システムの普及に伴い、一家屋に複数の電話機が設置されるようになっている。一方、人は移動する生物であるので、上記電話機を利用するユーザが、何れの電話機の近くに存在するか或いは存在しないかは、時間と共に変化することになる。このため、従来は、外部から着信が有った場合に、全ての電話機が着信報知を行うようになっていた。
【０００３】
これに対し、ユーザが何れの電話機の近くに存在するかを検知し、該検知の結果に基づいて、各電話機の着信報知を制御する技術が提案されている。
【０００４】
例えば、特許文献１に記載の電話機等は、短距離検出波を周囲に送出し、利用者ＩＤが応答された場合、サーバへ登録リクエストを送信するとともに、他の電話機に対し、近傍検出通知を電話網を介して送出する。また、上記電話機等は、長距離検出波に対し利用者ＩＤが応答され、かつ、応答された利用者ＩＤと他の電話機の電話機ＩＤとを含む近傍検出通知を検出した場合、上記サーバに削除リクエストを送信する。これにより、自機からの長距離検出波の到達範囲内に応答器を検出した場合であっても当該応答器が他の電話機からの短距離検出波の到達範囲内にあるときは自機には着信及び鳴動しないようになる。
【０００５】
また、特許文献２に記載の電話相手捜索装置では、応答器は所持する人に固有の識別符号を記憶しており、質問器は電波により上記応答器の識別符号を読み取る。ホストコンピュータは、上記質問器の最寄りの電話機の番号を該質問器ごとに記憶しておくとともに、上記質問器から出力される識別符号を受け、最寄りの電話機の番号と対応づけて該識別符号を記憶し、上記質問器から識別符号を受ける度に該識別符号に対応させて記憶する電話機番号を最新のものに更新する。
【０００６】
構内交換機は、発呼者側電話機から被呼者（居場所の分からない電話相手）の識別符号を受けたとき、上記ホストコンピュータで該被呼者の識別符号の検索をし、上記被呼者の識別符号が検知されたときはその識別符号に対応する番号の上記電話機に上記発呼者側電話機を接続し、該被呼者の識別符号が検知されないときは上記発呼者側電話機に被呼者行き先不明の信号を送出する。これにより、オフィスビル等で所定位置から移動した人の最寄りの電話番号が分からなくても、その人の最寄りの電話機を呼び出すことができる。
【０００７】
また、特許文献３に記載の親子電話装置では、着信時に、親機が無線タグを探索すると共に、子機に対し無線タグの探索を指示し、親機および子機による探索の結果に基づき親機および子機のそれぞれの出力音量を設定している。これにより、ユーザが電話装置の周辺にいても、あるいは離れた場所にいても、上記ユーザにとって適した音量にて着信音を鳴動させることができる。
【特許文献１】特開２００４−２８９２７３号公報（２００４年１０月１４日公開）
【特許文献２】特開平９−３２１８７７号公報（１９９７年１２月１２日公開）
【特許文献３】特開２００６−１０９０６８号公報（２００６年４月２０日公開）
【発明の開示】
【発明が解決しようとする課題】
【０００８】
上記特許文献１〜３では、ユーザの存在を検知するために、ユーザが携帯する応答器であって、ユーザの識別情報（ユーザＩＤ）を記憶した応答器を検知し、検知した応答器に記憶されたユーザＩＤを取得している。すなわち、ユーザの検知は、ユーザが上記応答器を携帯することを前提としている。
【０００９】
しかしながら、ユーザが上記応答器を常に携帯しているとは限らず、置き忘れることもある。従って、電話機が上記応答器を近くで検知しなくても、該電話機の近くにユーザが存在する場合がある。この場合、特許文献１・２のように、応答器を近くで検知していない電話機に対し着信報知を行わないと、上記ユーザが電話に出ることができない。
【００１０】
また、ユーザが上記応答器を携帯しており、かつ、電話機が上記応答器を近くで検知しない場合には、ユーザが家屋に存在するが上記電話機から遠い場合と、ユーザが不在である場合とが考えられる。ユーザが不在である場合に、特許文献３のように、上記応答器を近くで検知しない電話機に対し着信報知を行っても無駄となる。
【００１１】
ところで、一般に着信報知は、ユーザに注意を喚起するような音や光が利用される、このため、ユーザが電話機付近に存在する場合に着信があったとき、ユーザが電話機のハンドセットを持つまで着信報知が継続されるので、ユーザが不快に感じることがある。
【００１２】
また、特許文献１・２の場合、呼出元は、サーバまたはホストコンピュータが呼出先の電話機を呼び出すまで、通話を所望する人が存在すると推定される場所を把握できない。このため、例えば、会議室で会議中に会議室の電話機を呼び出してしまうことが起こり得る。
【００１３】
本発明は、上記の問題点に鑑みてなされたものであり、その目的は、呼出しの報知を効率的に行うことができる電話機などを提供することにある。
【００１４】
また、本発明の他の目的は、電話機付近に存在するユーザが呼出しの報知により不快に感じることを低減できる電話機などを提供することにある。
【００１５】
また、本発明の別の目的は、呼出しを行う前に、人が存在すると推定される場所を把握できる電話機などを提供することにある。
【課題を解決するための手段】
【００１６】
本発明に係る電話機は、電話網からの呼出しを検知する呼出検知手段と、報知を行う報知手段と、前記呼出検知手段が前記呼出しを検知すると、前記呼出しの報知を行うように前記報知手段を制御する呼出報知制御手段とを備える電話機であって、上記課題を解決するために、移動可能な物体である移動体を検知する移動体検知手段を備えており、前記呼出報知制御手段は、前記移動体検知手段が前記移動体の存在を検知している場合、前記呼出しの検知時から前記呼出しの報知を行う一方、前記移動体検知手段が前記移動体の存在を検知していない場合、前記呼出しの検知時から後に前記呼出しの報知を行うように前記報知手段を制御することを特徴としている。
【００１７】
また、本発明に係る電話機の制御方法は、電話網からの呼出しを検知する呼出検知手段と、報知を行う報知手段と、移動可能な物体である移動体を検知する移動体検知手段とを備える電話機の制御方法であって、上記課題を解決するために、前記呼出検知手段が前記呼出しを検知すると、前記移動体検知手段が前記移動体の存在を検知している場合には、前記呼出しの検知時から前記呼出しの報知を行う一方、前記移動体検知手段が前記移動体の存在を検知していない場合には、前記呼出しの検知時から後に前記呼出しの報知を行うように前記報知手段を制御する呼出報知制御ステップを含むことを特徴としている。
【００１８】
ここで、電話網としては、他の電話機と電話可能な通信網であれば、公衆網、私設電話網など、任意の通信網を利用することができる。また、移動体の例としては、人などの動物と、該動物によって携帯可能な、ＲＦＩＤタグなどの携帯デバイスとが挙げられる。また、移動体検知手段が移動体を検知する例としては、ＲＦＩＤリーダ等の無線通信手段が携帯デバイスと通信することにより検知することが挙げられる。なお、ビデオカメラ等の撮影手段が撮影した動画像から移動体を検知する、レーダが受信する電波の変化により移動体を検知する、マイク等の音入力手段から入力された音データから動物の音声を検知する、などの他の移動体検知手段を併用しても構わない。
【００１９】
上記構成および方法によると、呼出しを検知すると、まず、上記移動体の存在を検知した電話機が呼出しの報知を行い、その後、上記移動体の存在を検知しない電話機が呼出しの報知を行う。これにより、上記移動体の存在を検知しない電話機が呼出しの報知を行う前に、上記移動体の存在を検知した電話機が通話を開始すると、上記移動体の存在を検知しない電話機が呼出しの報知を行わずに済む。その結果、呼出しの報知を効率的に行うことができる。
【００２０】
なお、上記移動体の検知は、呼出しの検知時に行ってもよいし、周期的に行って検知結果を記憶部に記憶しておいてもよい。
【００２１】
また、上記呼出しの報知制御は、上記移動体の存在を検知していない場合、上記呼出しの検出時から所定期間の経過後に上記呼出しの報知を行うようにすることが好ましい。さらに、上記所定期間は、上記移動体の存在を検知している場合に、上記呼出しの検知時からユーザが電話に出るまでの期間の平均値または最大値であることが好ましい。また、上記呼出しの報知制御は、上記移動体検知手段が上記移動体の存在を検知している場合、上記呼出しの検出時から所定期間の経過後に上記呼出しの報知を停止するようにしてもよい。
【００２２】
本発明に係る電話機は、電話網からの呼出しを検知する呼出検知手段と、呼出先と通話を行う通話手段とを備える電話機であって、上記課題を解決するために、移動可能な物体である移動体を検知する移動体検知手段と、前記呼出検知手段が前記呼出しを検知し、かつ前記移動体検知手段が前記移動体の存在を検知する場合、通話を開始するように前記通話手段を制御する通話制御手段とを備えることを特徴としている。
【００２３】
また、本発明に係る電話機の制御方法は、電話網からの呼出しを検知する呼出検知手段と、呼出先と通話を行う通話手段と、移動可能な物体である移動体を検知する移動体検知手段とを備える電話機の制御方法であって、上記課題を解決するために、前記呼出検知手段が前記呼出しを検知し、かつ前記移動体検知手段が前記移動体の存在を検知する場合、通話を開始するように前記通話手段を制御する通話制御ステップを含むことを特徴としている。
【００２４】
上記の構成および方法によると、呼出しを検知し、かつ移動体の存在を検知すると、直ちに通話が開始される。これにより、呼出しの報知は、行われずに済み、或いは短期間で済むので、電話機付近に存在するユーザが呼出しの報知により不快に感じることを低減することができる。
【００２５】
なお、上記通話は、ユーザがハンドセットを持つこと無く通話できるスピーカホン機能を利用して行われることが望ましい。この場合、ユーザの利便性を向上できる。
【００２６】
なお、上記の本発明では、呼出しの報知のタイミング制御を呼出先の電話機が行っているが、下記のように呼出元の電話機が行うこともできる。
【００２７】
すなわち、本発明に係る電話機は、電話網に接続される電話機であって、上記課題を解決するために、他の電話機である他機が、移動可能な物体である移動体を検知するかを示す検知結果を受信する受信手段と、複数の前記他機に対し呼出しを行う場合、前記移動体の存在を検知する検知結果の送信元である前記他機に対し呼出しを行うと共に、該呼出しから後に、残りの前記他機に対し呼出しを行う呼出し手段とを備えることを特徴としている。
【００２８】
また、本発明に係る電話機の制御方法は、電話網に接続される電話機の制御方法であって、上記課題を解決するために、他の電話機である他機が、移動可能な物体である移動体を検知するかを示す検知結果を受信する受信ステップと、複数の前記他機に対し呼出しを行う場合、前記移動体の存在を検知する検知結果の送信元である前記他機に対し呼出しを行うと共に、該呼出しから後に、残りの前記他機に対し呼出しを行う呼出しステップとを含むことを特徴としている。
【００２９】
上記構成および方法によると、呼出しを行う場合、まず、上記移動体の存在を検知した電話機を呼び出し、その後、上記移動体の存在を検知しない電話機を呼び出す。これにより、上記移動体の存在を検知しない電話機が呼出しの報知を行う前に、上記移動体の存在を検知した電話機が通話を開始すると、上記移動体の存在を検知しない電話機が呼出しの報知を行わずに済む。その結果、呼出しの報知を効率的に行うことができる。
【００３０】
なお、上記検知結果は、呼出しを行うときに、他機に要求することにより受信してもよいし、他機が適宜送信してきたものを記憶部に記憶しておいてもよい。
【００３１】
本発明に係る電話機は、電話網に接続される電話機であって、上記課題を解決するために、他の電話機である他機が、移動可能な物体である移動体を検知するかを示す検知結果を受信する受信手段と、該受信手段が受信した検知結果と、該検知結果の送信元である前記他機の識別情報とを対応付けた検知情報を記憶する記憶手段と、複数の前記他機から呼出先を選択する呼出先選択手段と、該呼出先選択手段が呼出先を選択する場合に、前記記憶手段が記憶する検知情報に基づいて、前記呼出先の候補を出力する出力手段とを備えることを特徴としている。
【００３２】
また、本発明に係る電話機の制御方法は、電話網に接続される電話機の制御方法であって、上記課題を解決するために、他の電話機である他機が、移動可能な物体である移動体を検知するかを示す検知結果を受信する受信ステップと、該受信ステップにて受信された検知結果と、該検知結果の送信元である前記他機の識別情報とを対応付けた検知情報を記憶手段に記憶する記憶ステップと、複数の前記他機から呼出先を選択する呼出先選択ステップとを含んでおり、該呼出先選択ステップは、前記記憶手段が記憶する検知情報に基づいて、前記呼出先の候補を出力する出力ステップとを含むことを特徴としている。
【００３３】
上記の構成および方法によると、呼出先を選択する場合に、記憶手段が記憶する検知情報に基づいて、上記呼出先の候補を出力している。これにより、呼出元の電話機が呼出しを行う前に、人が携帯する携帯デバイスなどの移動体を上記呼出先の電話機が検知しているか否かを呼出元が把握できる。従って、人が存在すると推定される場所を把握した上で、呼出先を選択し、或いは呼び出すか否かを選択することができる。
【００３４】
なお、前記呼出先の候補の出力形態としては種々のものが考えられる。例えば、前記出力手段は、前記他機の識別情報と、前記他機の検知結果に対応するマークを付した情報とを、前記他機ごとに出力してもよい。ここで、上記他機の識別情報の例としては、他機の名称、製造番号などが挙げられる。また、上記マークの例としては、○×などの記号、存在・不在などの文字などが挙げられる。
【００３５】
また、前記出力手段は、前記移動体の存在を検知する検知結果に対応する前記他機の識別情報を出力してもよい。この場合、移動体の存在を検知する他機のみを呼出先として選択することができる。
【００３６】
また、前記出力手段は、複数の前記他機の識別情報を前記呼出先の候補として出力する場合に、前記移動体の存在を検知する検知結果に対応する前記他機の識別情報を強調して出力してもよい。ここで、上記強調の例としては、文字情報であれば、太字にしたり、赤色などの目立つ色にしたりすることが挙げられる。また、情報の背景に目立つ色を付したり、下線・枠を施したりすることが挙げられる。また、音声情報であれば、音量を上げたり、音色を変更したりすることが挙げられる。
【００３７】
本発明に係る電話機では、前記受信手段は、前記検知結果と共に、前記移動体の識別情報を受信しており、前記記憶手段が記憶する検知情報は、前記検知結果および前記移動体の識別情報と前記他機の識別情報とを対応付けたものであり、前記出力手段は、複数の前記他機の識別情報を前記呼出先の候補として出力する場合に、前記移動体の存在を検知する検知結果に対応する前記他機の識別情報に対し、前記移動体の識別情報を追加して出力することが好ましい。この場合、上記移動体の識別情報を利用して、他機にて検知された移動体を識別することができる。
【００３８】
本発明に係る電話機では、前記他機からの呼出しを検知する呼出検知手段と、報知を行う報知手段と、前記呼出検知手段が前記呼出しを検知すると、前記呼出しの報知を行うように前記報知手段を制御する呼出報知制御手段とをさらに備えており、該呼出報知制御手段は、前記記憶手段の前記検知情報を参照して、呼出元の前記他機の識別情報に対応する前記移動体の識別情報を報知するように前記報知手段を制御してもよい。この場合、呼出元が検知する移動体の識別情報を呼出先にて呼出しの検知時に把握することができる。
【００３９】
本発明に係る電話機では、前記呼出先選択手段が選択した呼出先の他機に対応する移動体の識別情報を、前記受信手段が別の他機から受信した場合、前記呼出先選択手段は、前記別の他機を呼出先として変更することことが好ましい。この場合、移動体が別の電話機の付近に移動しても、該電話機を呼び出すことができる。
【００４０】
本発明に係る電話機では、前記受信手段は、前記検知結果と共に、ユーザが携帯可能な携帯デバイスに記憶された該携帯デバイスの識別情報を受信しており、前記記憶手段は、前記携帯デバイスの識別情報と、前記ユーザの識別情報とを対応付けたデバイス・ユーザ対応テーブルをさらに記憶しており、前記出力手段は、複数の前記他機の識別情報を前記呼出先の候補として出力する場合に、前記移動体の存在を検知する検知結果に対応する前記他機の識別情報に対し、前記検知結果と共に受信した前記携帯デバイスの識別情報に対応する前記ユーザの識別情報を追加して出力してもよい。この場合、移動体として携帯デバイスを検知した場合でも、携帯デバイスの識別情報に対応するユーザの識別情報を出力できるので、他機の付近に存在するユーザを推定することができる。
【００４１】
本発明に係る電話機では、前記呼出先選択手段が、前記検知結果が前記移動体の存在を検知するものである前記他機を呼出先として選択する場合、前記呼出先を呼び出して直ちに通話を開始する通話制御手段をさらに備えてもよい。この場合、移動体の存在を検知する他機を呼び出して直ちに通話を開始できるので、通話を効率よく行うことができる。
【００４２】
なお、上記構成の電話機が電話網を介して複数個接続された電話システムであれば、上述と同様の効果を奏することができる。また、前記複数の電話機は、互いに無線で通信することが好ましい。この場合、電話網を敷設する労力および費用を削減することができる。
【００４３】
なお、上記電話機の各手段を、電話機制御プログラムによりコンピュータ上で実行させることができる。さらに、上記電話機制御プログラムをコンピュータ読取り可能な記録媒体に記憶させることにより、任意のコンピュータ上で上記電話機制御プログラムを実行させることができる。
【発明の効果】
【００４４】
以上のように、本発明に係る電話機は、呼出しを検知すると、まず、移動体の存在を検知した電話機が上記呼出しの報知を行い、その後、上記移動体の存在を検知しない電話機が呼出しの報知を行う。これにより、上記移動体の存在を検知しない電話機が呼出しの報知を行う前に、上記移動体の存在を検知した電話機が通話を開始すると、上記移動体の存在を検知しない電話機が呼出しの報知を行わずに済むので、呼出しの報知を効率的に行うことができるという効果を奏する。
【００４５】
また、本発明に係る電話機は、呼出しを検知し、かつ移動体の存在を検知すると、直ちに通話が開始されるので、呼出しの報知は、行われずに済み、或いは短期間で済むので、電話機付近に存在するユーザが呼出しの報知により不快に感じることを低減できるという効果を奏する。
【００４６】
また、本発明に係る電話機は、呼出先を選択する場合に、記憶手段が記憶する検知情報に基づいて、上記呼出先の候補を出力するので、呼出元の電話機が呼出しを行う前に、人が携帯する携帯デバイスなどの移動体を上記呼出先の電話機が検知しているか否かを呼出元が把握できる。従って、人が存在すると推定される場所を把握した上で、呼出先を選択でき、或いは呼び出すか否かを選択できるという効果を奏する。
【発明を実施するための最良の形態】
【００４７】
〔実施の形態１〕
本発明の一実施形態について図１〜図７を参照して説明する。図２は、本実施形態のコードレス電話システムの概要を示している。図示のように、コードレス電話システム１０は、外部の電話網（外線）と接続された親機１１と、親機１１と無線で通話可能な複数の子機１２とを備える構成である。なお、図示の例では、子機１２は２台であるが、１台でもよいし、３台以上でもよい。以下では、子機１２をそれぞれ区別する場合には「第１子機１２ａ」・「第２子機１２ｂ」と記載し、総称する場合には「子機１２」と記載する。また、親機１１および子機１２を総称する場合には「電話機Ｔ」と記載する。
【００４８】
本実施形態では、電話機Ｔは、ＲＦＩＤ（Radio Frequency Identification）タグ（無線タグ）１３と通信可能になっている。この無線タグ（携帯デバイス）１３をユーザが所持することにより、電話機Ｔは、付近にユーザが存在するか否かを検知することができる。さらに、電話機Ｔは、無線タグ１３を識別するための情報であるタグＩＤを、無線タグ１３から取得することにより、付近に存在する無線タグ１３を識別することができ、ひいては、付近に存在するユーザを識別することができる。
【００４９】
さらに、本実施形態では、電話機Ｔは、外部の電話網からの呼出し（以下「外線呼出し」と称する。）、または電話機Ｔ間の呼出し（以下「内線呼出し」と称する。）があった場合には、付近にユーザの存在を検知していると、上記呼出しの検知時点から上記呼出しの報知を行う一方、付近にユーザの存在を検知していないと、上記呼出しの検知時点から所定期間経過後に、上記呼出しの報知を行っている。
【００５０】
上記構成によると、コードレス電話システム１０に含まれる電話機Ｔのうち、まず、上記ユーザの存在を検知しているものが、上記呼出し時から上記呼出しの報知を行い、上記呼出し時から所定期間経過後に、上記ユーザの存在を検知していないものが上記呼出しの報知を行う。これにより、上記ユーザの存在を検知していない電話機Ｔが上記呼出しの報知を行う前に、上記ユーザの存在を検知している電話機Ｔで上記ユーザが通話を開始すると、上記ユーザの存在を検知していない電話機が着信報知を行わずに済む。その結果、上記呼出しの報知を効率よく行うことができる。
【００５１】
次に、コードレス電話システム１０の詳細について説明する。図３〜図５は、それぞれ親機１１、子機１２、および無線タグ１３の概略構成を示している。
【００５２】
図３に示すように、親機１１は、制御部（通話制御手段）２０、記憶部（記憶手段）２１、回線Ｉ／Ｆ（インタフェース）部２２、着信検出部２３、ＤＴＭＦ（Dual Tone Multi Frequency）信号検出部２４、ＤＴＭＦ信号生成部２５、モデム部２６、クロスポイントスイッチ部２７、ハンドセット（通話手段）２８、無線処理部（受信手段）２９、表示部（報知手段、出力手段）３０、操作部３１、およびスピーカ（報知手段、通話手段）３２を備える構成である。
【００５３】
制御部２０は、親機１１内の各種構成を統括的に制御するものである。制御部２０の機能は、例えばＲＡＭ（Random Access Memory）やフラッシュメモリなどの記憶装置に記憶されたプログラムをＣＰＵ（Central Processing Unit）が実行することによって実現される。なお、制御部２０の詳細は後述する。
【００５４】
記憶部２１は、各種データおよびプログラムを記憶するものである。記憶部２１の例としては、制御部２０が動作するときに必要なプログラムや、通信制御データなどの固定データを記憶する読出し専用の半導体メモリであるＲＯＭ（Read Only Memory）と、通信に関するデータ、演算に使用するデータ、および演算結果などを一時的に記憶する、いわゆるワーキングメモリとしてのＲＡＭと、各種の設定データ、電子メールデータなどを記憶する書換え可能な不揮発性メモリ（例えばフラッシュメモリ）とが挙げられる。なお、記憶部２１の詳細は後述する。
【００５５】
回線Ｉ／Ｆ部２２は、外線と親機１１とのインタフェースとして機能するものである。すなわち、回線Ｉ／Ｆ部２２は、外線からの信号を、親機１１での処理に適した形式に変換して、親機１１内の各部に送信すると共に、親機１１の各部からの信号を、外線での送信に適した形式に変換して、外線に送信するものである。なお、外部の電話回線の例としては、公衆交換回線網、専用回線などが挙げられる。
【００５６】
着信検出部２３は、外線から回線Ｉ／Ｆ部２２を介して受信した通信信号のうち、着信を示す信号である着信信号を検出するものである。着信検出部２３は、着信信号を検出した場合、その旨を制御部２０に通知する。
【００５７】
ＤＴＭＦ信号検出部２４は、外線から回線Ｉ／Ｆ部２２を介して受信した通信信号のうち、ＤＴＭＦ信号を検出するものである。ＤＴＭＦ信号は、０〜９の数字と、＊・＃・Ａ・Ｂ・Ｃ・Ｄの記号とを含む１６種類の文字を、低域および高域の音声周波数帯域の信号音に変換したものである。ＤＴＭＦ信号は、プッシュ式回線での電話番号入力など、音声回線での数字入力などで用いられる。ＤＴＭＦ信号検出部２４は、検出したＤＴＭＦ信号を元の文字に復号化して制御部２０に送信する。
【００５８】
ＤＴＭＦ信号生成部２５は、制御部２０から受信した記号に基づいてＤＴＭＦ信号を生成するものである。ＤＴＭＦ信号生成部２５は、生成したＤＴＭＦ信号を、回線Ｉ／Ｆ部２２を介して外線に送信する。
【００５９】
モデム部２６は、制御部２０から受信したデジタルデータをアナログ信号に変調して回線Ｉ／Ｆ部２２に送信すると共に、回線Ｉ／Ｆ部２２から受信したアナログ信号をデジタルデータに復調して制御部２０に送信するものである。
【００６０】
クロスポイントスイッチ部２７は、制御部２０からの指示に基づき、回線Ｉ／Ｆ部２２、ハンドセット２８、および無線処理の何れか１つから受信した音声信号を、様々な出力先に送信するように切り換えるものである。
【００６１】
ハンドセット２８は、親機１１にて通話を行うためのものであり、マイクなどの音声入力デバイスと、イヤホンなどの音声出力デバイスとを備えるものである。音声入力デバイスを介して入力された音声信号は、クロスポイントスイッチ部２７に送信される一方、クロスポイントスイッチ部２７から受信した音声信号は、音声出力デバイスを介して出力される。
【００６２】
無線処理部２９は、子機１２との間で無線通信を行うためのものである。すなわち、無線処理部２９は、制御部２０およびクロスポイントスイッチ部２７から受信した信号を無線送信に適した形式に変換し、変換した無線信号を、アンテナを介して子機１２に送信すると共に、子機１２からアンテナを介して受信した無線信号を元の形式に変換し、変換したデータを制御部２０およびクロスポイントスイッチ部２７に送信するものである。具体的には、無線処理部２９では、データの変復調処理、ＲＦ（Radio Frequency）処理などが行われる。
【００６３】
表示部３０は、制御部２０から画像データを受信し、受信した画像データに基づいて表示画面に画像を表示するものである。具体的には、表示部３０は、ＬＣＤ（Liquid Crystal Display）、ＰＤＰ（Plasma Display Panel）、ＥＬ（Electroluminescence）ディスプレイなどの表示素子と、受信した画像データに基づいて表示素子を駆動するドライバ回路とを備える構成である。
【００６４】
操作部３１は、親機１１の表面に設けられたダイヤルキーなどの入力デバイスをユーザが操作することにより、操作データを作成して制御部２０に送信するものである。入力デバイスとしては、ボタンスイッチの他にタッチパネルなどが挙げられる。
【００６５】
スピーカ３２は、制御部２０からの電気信号を音波に変換して、各種の情報を外部に音声出力するものである。特に、スピーカ３２は、外線呼出し、内線呼出しなどの報知を行うものである。
【００６６】
本実施形態では、親機１１は、ＲＦＩＤリーダ／ライタ（以下「リーダ／ライタ」と略称する。）３３をさらに備えている。リーダ／ライタ３３は、無線タグ１３と無線通信を行って、無線タグ１３に対しデータの読み書きを行うものである。
【００６７】
リーダ／ライタ３３および無線タグ１３の間の通信方式としては、電磁誘導方式とマイクロ波方式とがある。電磁誘導方式は、１２５ｋ〜１３５ｋＨｚ帯や１３．５６ＭＨｚ帯の周波数帯域で利用されている。一方、マイクロ波方式は、２．４５ＧＨｚ帯や、８００ＭＨｚ〜９６０ＭＨｚ前後のいわゆるＵＨＦ帯で利用されている。本実施形態では、親機１１の付近、具体的には親機１１が設置された部屋に、ユーザが存在するか否かを検知する必要があるので、通信可能距離が１ｍ〜数ｍ程度であるマイクロ波方式のものを利用することが望ましい。
【００６８】
子機１２は、図４に示すように、制御部、記憶部、ハンドセット、無線処理部、表示部、操作部、スピーカ、およびリーダ／ライタを備える構成である。子機１２の各構成は、親機１１における制御部２０、記憶部２１、ハンドセット２８、無線処理部２９、表示部３０、操作部３１、スピーカ３２、およびリーダ／ライタ３３のそれぞれと同様の機能を有するので、同一の符号を付してその説明を省略する。
【００６９】
無線タグ１３は、図５に示すように、アンテナ３５とＲＦＩＤ用ＩＣ（Integrated Circuit）３６とを備える構成である。ＲＦＩＤ用ＩＣ３６は、リーダ／ライタ３３からアンテナ３５を介して受信した信号に基づいて、リーダ／ライタ３３からのデータを記憶したり、記憶されたデータを、アンテナ３５を介してリーダ／ライタ３３に送信したりするものである。
【００７０】
なお、無線タグ１３には、ＲＦＩＤ用ＩＣ３６を動作させる電池などの電力源を内部に有するものと有さないものとがある。内部に電力源を有さない無線タグ１３は、リーダ／ライタ３３からの電波を上記電力源として受け取ることになる。
【００７１】
ところで、無線タグ１３とユーザとは別々の物体であるから、電話機Ｔが無線タグ１３を検知したとしても、電話機Ｔの付近にユーザが存在するとは限らない。従って、無線タグ１３の存在を検知した場合にユーザが存在する可能性をより増大させるために、無線タグ１３は、ユーザ自身、またはユーザが常に携帯する可能性の高い物体に取り付けることが望ましい。ユーザが常に携帯する可能性の高い物体の例としては、衣類や、携帯電話機、携帯型音楽プレーヤなどの携帯型電子デバイスが挙げられる。
【００７２】
次に、電話機Ｔの制御部２０および記憶部２１の詳細について説明する。図３および図４に示すように、電話機Ｔの記憶部２１は、リーダ／ライタ３３が無線タグ１３を検知したか否かを示す検知結果を含む検知情報テーブル４０を記憶している。なお、親機１１の記憶部２１は、留守番電話などにおいて録音された録音データ４１を記憶している。
【００７３】
図６は、電話機Ｔの制御部２０の概略構成を示している。図示のように、制御部２０は、タグ検知部（移動体検知手段）４５、呼出検知部（呼出検知手段）４６、および報知制御部（呼出報知制御手段）４７を備える構成である。
【００７４】
タグ検知部４５は、自機のリーダ／ライタ３３に対し、無線タグ１３を検知するように指示し、検知結果をリーダ／ライタ３３から取得するものである。タグ検知部４５は、取得した検知結果に基づいて記憶部２１の検知情報テーブル４０を更新する。本実施形態では、タグ検知部４５は、リーダ／ライタ３３による無線タグ１３の検知を周期的に指示して、検知情報テーブル４０を更新している。
【００７５】
呼出検知部４６は、他機から無線処理部２９を介して呼出信号を取得することにより、呼出しを検知するものである。また、親機１１の呼出検知部４６は、着信検出部２３が着信号を検出した旨の通知を受け取ることにより、外線呼出しを検知する。呼出検知部４６は、呼出しを検知した旨を報知制御部４７に通知する。
【００７６】
報知制御部４７は、呼出検知部４６からの通知を受け取ると、上記呼出しの報知を行うように報知手段を制御するものである。具体的には、報知制御部４７は、呼出検知部４６からの通知を受け取ると、スピーカ３２に呼出し用の報知音を出力させるものである。なお、報知制御部４７は、ＬＥＤなどの発光手段を点滅させるなど、その他の報知手段を制御してもよい。
【００７７】
本実施形態では、報知制御部４７は、記憶部２１における検知情報テーブル４０を参照して、自機が無線タグ１３を検知しているとき、呼出検知部４６から通知を受け取ってから直ちに上記呼出しの報知を行うようにスピーカ３２に指示する。一方、報知制御部４７は、検知情報テーブル４０を参照して、自機が無線タグ１３を検知していないとき、呼出検知部４６から通知を受け取ってから所定期間経過後に上記呼出しの報知を行うよう、スピーカ３２に指示する。上記所定期間は任意に設定できるが、２０秒程度であることが望ましい。
【００７８】
上記構成の電話機Ｔにおける処理動作について、図１を参照して説明する。図１は、電話機Ｔの制御部２０が行う処理動作を示している。
【００７９】
図１に示すように、まず、呼出検知部４６が内線呼出し（または外線呼出し）を検知すると、報知制御部４７は、記憶部２１における検知情報テーブル４０を参照して、リーダ／ライタ３３が無線タグ１３を検知しているか否かを判断する（（ステップＳ１０（以下「Ｓ１０」と略称することがある。他のステップについても同様である。））。
【００８０】
無線タグ１３を検知している場合（Ｓ１０にてＹＥＳ）、報知制御部４７は、スピーカ３２に呼出し用の報知音を出力させて、報知を開始する（Ｓ１１）。次に、報知制御部４７は、通話の開始または呼出しの終了が行われるまで待機する（Ｓ１２）。通話の開始は、例えば、ユーザがハンドセット２８をオフフック状態にしたり、操作部３１の通話開始ボタンを押したりすることにより判断できる。また、呼出しの終了は、呼出し元からの通話終了の信号を、無線処理部２９（または着信検出部２３）が受信することにより判断できる。
【００８１】
通話の開始または呼出しの終了が行われた場合（Ｓ１２にてＹＥＳ）、報知制御部４７は、スピーカ３２に対し、呼出し用の報知音の出力を停止させて、報知を終了する（Ｓ１３）。その後、呼出しの検知による処理動作を終了する。
【００８２】
一方、無線タグ１３を検知していない場合（Ｓ１０にてＮＯ）、所定期間経過するまで待機し（Ｓ１４）、その間に呼出しが終了した場合には（Ｓ１５にてＹＥＳ）、報知を行うこと無く処理を終了する。一方、呼出しが継続している場合に所定期間を経過した場合、（Ｓ１４にてＹＥＳ）、ステップＳ１１に進み、上述の処理動作を行う。
【００８３】
なお、本実施形態では、タグ検知部４５は、リーダ／ライタ３３による無線タグ１３の検知を周期的に指示しているが、呼出検知部４６が呼出しを検知したときにリーダ／ライタ３３による無線タグ１３の検知を指示してもよい。さらに、タグ検知部４５は、検知結果を報知制御部４７に送出し、報知制御部４７は、受け取った検知結果に基づいて、上述の報知制御を行ってもよい。この場合、呼出しの検知から報知の開始までの時間が若干長くなるが、記憶部２１に検知情報テーブル４０を記憶させる必要がなくなる。
【００８４】
また、本実施形態では、無線タグ１３を検知している電話機Ｔは、上記所定期間を経過しても、無線タグ１３を検知していない電話機Ｔと共に呼出しの報知を行っているが、上記所定期間経過後に呼出の報知を終了してもよい。この場合、制御部２０が行う処理動作を図７に示す。
【００８５】
図７に示す処理動作は、図１に示す処理動作に比べて、無線タグ１３を検知している場合（Ｓ１０にてＹＥＳ）の処理動作が異なり、他の処理動作は同様である。なお、本実施形態で説明した処理動作と同様の処理動作には同一の符号を付して、その説明を省略する。
【００８６】
無線タグ１３を検知している場合（Ｓ１０にてＹＥＳ）、報知制御部４７は、スピーカ３２に呼出し用の報知音を出力させて、報知を開始する（Ｓ１６）。次に、報知制御部４７は、通話の開始または呼出しの終了が行われるか、或いは、所定期間経過するまで待機する（Ｓ１７・Ｓ１８）。その後、報知制御部４７は、スピーカ３２に対し、呼出し用の報知音の出力を停止させて、報知を終了する（Ｓ１３）。その後、呼出しの検知による処理動作を終了する。
【００８７】
ところで、無線タグ１３を検知している電話機Ｔは、付近にユーザが存在する可能性が高い。そこで、制御部２０は、無線タグ１３を検知している場合に、呼出検知部４６が内線呼出し（または外線呼出し）を検知すると、直ちに通話の開始処理を行ってもよい。この場合、報知制御部４７は、ステップＳ１１〜Ｓ１３において、数秒程度の報知を行うことが望ましいが、報知を行わなくてもよい。また、上記の場合、ユーザがハンドセット２８を持つこと無く通話が可能なスピーカホン機能を利用することが望ましい。この場合、ユーザの利便性が向上する。
【００８８】
〔実施の形態２〕
次に、本発明の別の実施形態について図８および図９を参照して説明する。図１〜図７に示されるコードレス電話システム１０では、呼出先の電話機Ｔが呼出の報知のタイミングを制御していたが、本実施形態のコードレス電話システム１０では、呼出元の電話機Ｔが呼出しのタイミングを制御している。
【００８９】
本実施形態における電話機Ｔは、図１〜図７に示される電話機Ｔに比べて、制御部２０の構成が異なり、その他の構成は同様である。なお、上記実施形態で説明した構成と同様の機能を有する構成には同一の符号を付して、その説明を省略する。
【００９０】
図８は、本実施形態における電話機Ｔの制御部２０の概略構成を示している。図示のように、制御部２０は、タグ検知部５０、検知情報送出部５１、検知情報取得部（受信手段）５２、呼出指示取得部５３、および呼出制御部（呼出し手段）５４を備える構成である。
【００９１】
タグ検知部５０は、図６に示すタグ検知部４５に比べて、リーダ／ライタ３３から取得した検知結果を、記憶部２１に記憶する代わりに、検知情報送出部５１に送出する点が異なり、その他の機能は同様である。
【００９２】
検知情報送出部５１は、タグ検知部５０から受け取った検知結果を含む検知情報を、無線処理部２９に送出して、他の電話機Ｔに送信するものである。なお、検知情報送出部５１は、周期的に上記検知情報を送出してもよいし、検知結果の内容に変更があった場合にのみ上記検知情報を送出してもよい。また、上記検知情報には、自機を識別するための電話機ＩＤを含むことが好ましい。なお、電話機ＩＤは、「親機」・「子機１」・「子機２」などのような、電話機Ｔの名称でもよい。
【００９３】
検知情報取得部５２は、他の電話機Ｔが送信した検知情報を、無線処理部２９を介して取得するものである。検知情報取得部５２は、取得した検知情報に、該検知情報を送信した電話機Ｔの電話機ＩＤを対応付けて、記憶部２１の検知情報テーブル４０に記憶する。
【００９４】
呼出指示取得部５３は、ユーザによる内線呼出しの指示情報を、操作部３１を介して取得するものである。呼出指示取得部５３は、取得した内線呼出しの指示情報を呼出制御部５４に送出する。
【００９５】
呼出制御部５４は、他の電話機Ｔへの呼出しを制御するものである。具体的には、呼出制御部５４は、呼出指示取得部５３から内線呼出しの指示を受け取ると、無線処理部２９を介して各電話機Ｔに呼出信号を送信するものである。
【００９６】
本実施形態では、呼出制御部５４は、呼出指示取得部５３から内線呼出しの指示を受け取ると、記憶部２１に記憶された検知情報テーブル４０を参照して、無線タグ１３を検知している電話機Ｔに対し、直ちに呼出信号を送信する。一方、呼出制御部５４は、検知情報テーブル４０を参照して、無線タグ１３を検知していない電話機Ｔに対し、上記内線呼出しの指示を受け取ってから所定期間経過後に呼出信号を送信する。
【００９７】
従って、本実施形態のコードレス電話システム１０では、呼出元の電話機は、呼出しを行う場合、まず、無線タグ１３を検知している電話機を呼び出し、その後、無線タグ１３を検知していない電話機を呼び出す。これにより、無線タグ１３を検知していない電話機が呼出しの報知を行う前に、無線タグ１３を検知した電話機が通話を開始すると、無線タグ１３を検知しない電話機が呼出しの報知を行わずに済む。その結果、呼出しの報知を効率的に行うことができる。
【００９８】
次に、上記構成の電話機Ｔにおける処理動作について、図９を参照して説明する。図９は、電話機Ｔの制御部２０が行う内線呼出しの処理動作を示している。
【００９９】
図９に示すように、まず、呼出制御部５４が内線呼出しの指示を取得すると、呼出制御部５４は、記憶部２１における検知情報テーブル４０を読み出す（Ｓ２０）。次に、呼出制御部５４は、読み出した検知情報テーブル４０を参照して、無線タグ１３を検知している電話機Ｔを特定し、特定した電話機Ｔに呼出し信号を送信することにより、当該電話機Ｔの呼出しを行う（Ｓ２１）。
【０１００】
次に、呼出制御部５４は、通話の開始または呼出しの終了が行われるか、或いは所定期間が経過するまで待機する（Ｓ２２・Ｓ２３）。通話の開始または呼出しの終了が行われた場合（Ｓ２２にてＹＥＳ）、呼出制御部５４は、上記内線呼出しの指示による処理動作を終了する。なお、通話の開始は、呼出先の電話機Ｔから通話開始の信号を、無線処理部２９が受信することにより判断できる。また、呼出しの終了は、ユーザがハンドセット２８をオンフック状態にしたり、操作部３１の通話終了ボタンを押したりすることにより判断できる。
【０１０１】
一方、通話の開始または呼出しの終了が行われること無く、所定期間が経過した場合（Ｓ２２にてＮＯ、Ｓ２３にてＹＥＳ）、呼出制御部５４は、記憶部２１から読み出した検知情報テーブル４０を参照して、無線タグ１３を検知していない電話機Ｔを特定し、特定した電話機Ｔに呼出し信号を送信することにより、当該電話機Ｔの呼出しを行う（Ｓ２４）。
【０１０２】
そして、呼出制御部５４は、通話の開始または呼出しの終了が行われるまで待機し（Ｓ２５）、その後、上記内線呼出しの指示による処理動作を終了する。
【０１０３】
なお、本実施形態では、無線タグ１３を検知している電話機Ｔは、上記所定期間を経過しても、無線タグ１３を検知していない電話機Ｔと共に内線呼出しを行うことになるが、上記所定期間経過後に内線呼出しを終了してもよい。この場合、ステップＳ２４にて、無線タグ１３を検知している電話機Ｔに通話終了の信号を送信すると共に、無線タグ１３を検知していない電話機Ｔに呼出し信号を送信すればよい。
【０１０４】
また、本実施形態では、内線呼出しについて説明してきたが、外線呼出しの場合にも適用することができる。この場合、上述のような呼出しの制御を親機１１が子機１２に対して行うことになる。なお、親機１１自体に関しては、上記呼出しの制御の代わりに、図６に示すような報知の制御を行えばよい。
【０１０５】
〔実施の形態３〕
次に、本発明の他の実施形態について図１０〜図２２を参照して説明する。図８および図９に示されるコードレス電話システム１０では、呼出先を特定すること無く、呼出しを行っているが、本実施形態のコードレス電話システム１０では、呼出先の候補を表示してユーザに選択させることにより、選択された呼出先を呼出している。
【０１０６】
本実施形態における電話機Ｔは、図８および図９に示される電話機Ｔに比べて、制御部２０および記憶部２１の構成が異なり、その他の構成は同様である。なお、上記実施形態で説明した構成と同様の機能を有する構成には同一の符号を付して、その説明を省略する。
【０１０７】
図１０は、本実施形態における電話機Ｔの制御部２０および記憶部２１の概略構成を示している。図示のように、制御部２０は、タグ検知部６０、検知情報送出部６１、検知情報取得部６２、指示情報取得部６３、呼出先選択部（呼出先選択手段）６４、呼出制御部（呼出し手段、通話制御手段）６５、呼出検知部（呼出検知手段）６６、および報知制御部６７を備える構成である。また、記憶部２１は、検知情報テーブル７０およびユーザ・タグ対応テーブル７１を記憶している。
【０１０８】
ユーザ・タグ対応テーブル７１は、無線タグ１３のタグＩＤと、ユーザを識別するための情報であるユーザＩＤとが対応付けられたものである。
【０１０９】
検知情報テーブル７０は、電話機Ｔが無線タグ１３を検知したか否かを示す検知結果に、検知した無線タグ１３に対応するユーザＩＤと電話機Ｔの電話機ＩＤとが対応付けられたものである。
【０１１０】
タグ検知部６０は、自機のリーダ／ライタ３３に対し、無線タグ１３を検知するように指示して、検知結果をリーダ／ライタ３３から取得するものである。さらに、タグ検知部６０は、無線タグ１３を検知した場合には、無線タグ１３に記憶されたタグＩＤを読み出すように指示して、タグＩＤをリーダ／ライタ３３から取得する。
【０１１１】
また、タグ検知部６０は、記憶部２１のユーザ・タグ対応テーブル７１を参照して、上記タグＩＤに対応するユーザＩＤを取得する。タグ検知部６０は、取得した検知結果およびユーザＩＤを検知情報送出部６１に送出する。なお、検知情報テーブル７０に、自機の検知結果などが含まれる場合、タグ検知部６０は、上記検知結果およびユーザＩＤで検知情報テーブル７０を更新してもよい。
【０１１２】
検知情報送出部６１は、図８に示す検知情報送出部５１に比べて、タグ検知部６０から受け取った検知結果およびユーザＩＤを含む検知情報を、無線処理部２９に送出して、他の電話機Ｔに送信する点が異なり、その他の機能は同様である。なお、検知情報は、検知結果およびユーザＩＤを含む代わりに、無線タグ１３を検知している場合にユーザＩＤを含み、無線タグ１３を検知していない場合にヌル文字列を含むようにしてもよい。
【０１１３】
検知情報取得部６２は、他の電話機Ｔが送信した検知情報を、無線処理部２９を介して取得するものである。検知情報取得部６２は、取得した検知情報に、送信元の電話機Ｔの電話機ＩＤを含めて、記憶部２１の検知情報テーブル７０に記憶する。なお、上述のように、検知情報がユーザＩＤまたはヌル文字列を含むものである場合、検知情報取得部６２は、検知情報にユーザＩＤが含まれる場合に、無線タグ１３を検知していることを示す検知結果を作成する一方、検知情報にヌル文字列が含まれる場合に、無線タグ１３を検知していないことを示す検知結果を作成してもよい。
【０１１４】
指示情報取得部６３は、ユーザからの指示情報を、操作部３１を介して取得するものである。指示情報取得部６３は、取得した指示情報を、該指示情報に対応するブロックに送出する。具体的には、指示情報取得部６３は、内線呼出しの指示情報または呼出先の指示情報を取得すると、取得した指示情報を呼出先選択部６４に送出する。
【０１１５】
呼出先選択部６４は、ユーザから内線呼出しが指示されると、ユーザに呼出先を選択させるものである。呼出先選択部６４は、選択された呼出先の情報を呼出制御部６５に送出する。
【０１１６】
具体的には、呼出先選択部６４は、ユーザから操作部３１および指示情報取得部６３を介して、内線呼出しの指示情報を受け取ると、まず、記憶部２１から検知情報テーブル７０を読み出す。次に、呼出先選択部６４は、読み出した検知情報テーブル７０に含まれる検知結果およびユーザＩＤに基づいて、呼出先候補を作成し、作成した呼出先候補を表示部３０に表示させる。
【０１１７】
図１１（ａ）〜（ｃ）は、親機１１が４台の子機１２の何れかを呼び出す場合に、親機１１の表示部３０に表示される呼出先候補の例を示している。なお、図示の例では、第１子機１２ａのみが無線タグ１３を検知している。
【０１１８】
図１１（ａ）の例では、子機１２ごとに、子機１２の名称（子機１〜子機４）が表示され、無線タグ１３の検知の有無を示す情報が○×で表示されている。また、同図（ｂ）の例では、無線タグ１３を検知している第１子機１２ａの名称（子機１）のみが表示されている。また、同図（ｃ）の例では、子機１２ごとに、子機１２の名称（子機１〜子機４）が表示され、さらに、無線タグ１３を検知している第１子機１２ａの名称（子機１）が太字で強調して表示されている。
【０１１９】
このように、無線タグ１３の検知の有無に基づいて子機１２の名称を表示することにより、該表示を参照したユーザは、無線タグ１３を検知している子機１２を把握することができる。そして、呼出先選択部６４は、ユーザから操作部３１および指示情報取得部６３を介して、ユーザによって選択された呼出先の指示情報を受け取ると、上記選択された呼出先の情報を呼出制御部６５に送出する。
【０１２０】
呼出制御部６５は、図８に示す呼出制御部５４に比べて、呼出先選択部６４から受け取った呼出先の電話機Ｔに対し、無線処理部２９を介して呼出信号を送信する点が異なり、その他の機能は同様である。また、呼出検知部６６は、図６に示す呼出検知部４６と同様に機能する。
【０１２１】
報知制御部６７は、図６に示す報知制御部４７に比べて、呼出検知部６６からの通知を受け取ると、スピーカ３２に呼出し用の報知音を出力させると共に、検知情報テーブル７０から呼出元の電話機Ｔに対応するユーザＩＤを取得し、取得したユーザＩＤと呼出元の電話機Ｔの名称とを表示部３０に表示させる点が異なり、その他の機能は同様である。これにより、呼出元の電話機Ｔおよびユーザを把握することができる。
【０１２２】
従って、本実施形態のコードレス電話システム１０では、呼出先を選択する場合に、記憶部２１が記憶する検知情報テーブル７０に基づいて、呼出先の候補を表示部３０に表示させている。これにより、呼出元の電話機Ｔが呼出しを行う前に、無線タグ１３を上記呼出先の電話機Ｔが検知しているか否かを呼出元のユーザが把握できる。従って、人が存在すると推定される場所を把握した上で、呼出先を選択し、或いは呼び出すか否かを選択することができる。
【０１２３】
次に、上記構成の電話機Ｔにおける処理動作について説明する。まず、無線タグ１３を検知した場合の処理動作について、図１２〜図１６を参照して説明する。
【０１２４】
図１２は、リーダ／ライタ３３が無線タグ１３を検知した場合に、電話機Ｔの制御部２０が行う処理動作を示している。図示のように、まず、タグ検知部６０は、リーダ／ライタ３３を介して無線タグ１３に対しタグＩＤを要求する（Ｓ３０）。
【０１２５】
次に、タグ検知部６０は、無線タグ１３からリーダ／ライタ３３を介してタグＩＤを取得することに成功した場合（Ｓ３１にてＹＥＳ）、ユーザ・タグ対応テーブル（デバイス・ユーザ対応テーブル）７１を参照して、上記タグＩＤに対応するユーザＩＤを取得する（Ｓ３２）。そして、タグ検知部６０は、無線タグ１３を検知していることを示す検知結果とユーザＩＤとを、検知情報送出部６１および無線処理部２９を介して、他の電話機Ｔに送信して（Ｓ３３）、処理動作を終了する。一方、タグ検知部６０は、上記タグＩＤを取得することに失敗した場合（Ｓ３１にてＮＯ）、無線タグ１３を検知していないことを示す検知結果を、検知情報送出部６１および無線処理部２９を介して、他の電話機Ｔに送信して（Ｓ３４）、処理動作を終了する。
【０１２６】
図１３は、他の電話機Ｔからデータを受信した場合に、電話機Ｔの制御部２０が行う処理動作を示している。まず、制御部２０は、受信したデータに検知情報を含むか否かを判断する（Ｓ３５）。検知情報を含む場合（Ｓ３５にてＹＥＳ）、検知情報取得部６２は、検知情報テーブル７０を更新して（Ｓ３６）、処理を終了する。一方、検知情報を含まない場合（Ｓ３５にてＮＯ）、制御部２０は、受信したデータに対応する処理を行って（Ｓ３７）、処理を終了する。
【０１２７】
図１４は、無線タグ１３を検知する処理動作における情報の流れを例示している。図示の例では、第１子機１２ａが無線タグ１３を検知して、親機１１および第２子機１２ｂに検知情報を送信している。また、図示の例では、無線タグ１３は、タグＩＤと共にユーザＩＤを記憶しているとする。
【０１２８】
図１４に示すように、第１子機１２ａは、周期的に無線タグ１３の検索を行い（Ｓ４０・Ｓ４１）、無線タグ１３を発見すると（Ｓ４２）、無線タグ１３に対しユーザＩＤその他の検知情報の取得を要求する（Ｓ４３）。無線タグ１３から検知情報を取得すると（Ｓ４４）、第１子機１２ａは、取得した検知情報を含むデータを他機（親機１１および第２子機１２ｂ）に送信する（Ｓ４５）。このように、無線タグ１３がユーザＩＤを記憶している場合、電話機Ｔは、タグＩＤをユーザＩＤに変換する必要はなく、ユーザ・タグ対応テーブル７１を記憶部２１に記憶する必要もない。
【０１２９】
図１５は、ステップＳ４５にて送信されるデータの一例を示している。図示の例では、送信元の情報の格納領域に第１子機１２ａの名称「子機１」が含まれ、ユーザＩＤの格納領域にユーザの呼称「お父さん」が含まれている。このように、ユーザＩＤは、「お父さん」・「お母さん」・「太郎くん」などのような、ユーザの呼称でもよい。
【０１３０】
次に、検知情報を含むデータを受信した親機１１および第２子機１２ｂは、取得した検知情報に基づいて、検知情報テーブル７０を更新する。図１６は、更新後の検知情報テーブル７０の一例を示している。図示のように、検知情報テーブル７０には、電話機Ｔの名称（端末名）と、検知結果と、ユーザＩＤとが、電話機Ｔごとに含まれている。また、図示の例では、第１子機（子機１）１２ａにて「お父さん」に対応する無線タグ１３が検知されていることを示している。
【０１３１】
次に、ユーザが内線呼出しを指示した場合の処理動作について、図１７〜図２２を参照して説明する。図１７は、ユーザが操作部３１を介して内線呼出しを指示した場合に、電話機Ｔの制御部２０が行う処理動作を示している。
【０１３２】
図１７に示すように、まず、指示情報取得部６３が内線呼出しの指示を取得すると、呼出先選択部６４は、記憶部２１における検知情報テーブル７０に基づいて、呼出先候補を作成し、作成した呼出先候補を表示部３０に表示させる（Ｓ５０）。次に、ユーザが呼出先を決定するまで待機する（Ｓ５１）。その後、ユーザが呼出先を決定して、ユーザから操作部３１を介して呼出先の指示情報を指示情報取得部６３が取得すると（Ｓ５１にてＹＥＳ）、呼出制御部６５が、無線処理部２９を介して上記呼出先に呼出信号を送信することにより、ユーザによって決定された呼出先を呼び出す（Ｓ５２）。
【０１３３】
なお、ステップＳ５２において、呼出先の電話機Ｔに対応する無線タグ１３のタグＩＤを、別の電話機Ｔから受信した場合、当該別の電話機Ｔを呼出先として変更することが望ましい。この場合、ユーザが別の電話機Ｔの付近に移動しても、該電話機を呼び出すことができる。また、無線タグ１３を検知している電話機Ｔを呼び出す場合、スピーカホンなどで直ちに通話を開始してもよい。この場合、通話を効率よく行うことができる。
【０１３４】
次に、呼出制御部６５は、通話の開始または呼出しの終了が行われるまで待機する（Ｓ５３）。その後、通話の開始または呼出しの終了が行われると（Ｓ５３にてＹＥＳ）、呼出制御部６５は、上記内線呼出しの指示による処理動作を終了する。
【０１３５】
図１８は、他の電話機Ｔから内線呼出しを検知した場合に、電話機Ｔの制御部２０が行う処理動作を示している。図示のように、まず、報知制御部６７は、呼出し信号に含まれる呼出元の情報を取得し（Ｓ６０）、取得した呼出元の電話機Ｔに対応するユーザＩＤが検知情報テーブル７０に存在するか否かを判断する（Ｓ６１）。
【０１３６】
上記ユーザＩＤが検知情報テーブル７０に存在する場合（Ｓ６１にてＹＥＳ）、報知制御部６７は、上記ユーザＩＤと上記呼出元の電話機Ｔの名称とを表示部３０に表示させることにより報知する（Ｓ６２）。一方、上記ユーザＩＤが検知情報テーブル７０に存在しない場合（Ｓ６１にてＮＯ）、報知制御部６７は、上記呼出元の電話機Ｔの名称のみを表示部３０に表示させることにより報知する（Ｓ６３）。
【０１３７】
次に、報知制御部６７は、スピーカ３２に呼出し用の報知音を出力させるなど、その他の報知を開始し（Ｓ６４）、通話の開始または呼出しの終了が行われるまで待機する（Ｓ６５）。通話の開始または呼出しの終了が行われると（Ｓ６５にてＹＥＳ）、報知制御部４７は、全ての報知を終了し（Ｓ６６）。その後、呼出しの検知による処理動作を終了する。なお、ステップＳ６４の処理は、ステップＳ６０の処理の前に行ってもよい。
【０１３８】
図１９は、内線呼出しに関する処理動作における情報の流れを例示している。図示の例では、親機１１から第１子機１２ａへ内線呼出しを行っている。また、図２０は、記憶部２１に記憶される検知情報テーブル７０の一例を示している。図示のように、親機１１は、「お父さん」に対応するタグＩＤの無線タグ１３を検知しており、第１子機１２ａは、「太郎くん」に対応するタグＩＤの無線タグ１３を検知している一方、第２子機１２ｂは、無線タグ１３を検知していないとする。また、各電話機Ｔには、図２０に示す検知情報テーブル７０が記憶されているとする。
【０１３９】
図１９に示すように、親機１１は、ユーザからの指示に基づき、内線呼出しを開始すると（Ｓ７０）、図２０に示す検知情報テーブル７０に基づいて、自機の表示部３０に呼出先候補を表示させる（Ｓ７１）。
【０１４０】
図２１は、表示部３０に表示される呼出先候補を示している。図示のように、親機１１の他の電話機Ｔである第１子機１２ａおよび第２子機１２ｂのそれぞれが呼出先候補として表示されている。第１子機１２ａに関しては、電話機Ｔの名称の欄には、第１子機１２ａの名称である「子機１」が表示され、ユーザＩＤの欄には、第１子機１２ａで検知された無線タグ１３のタグＩＤに対応するユーザＩＤである「太郎くん」が表示されている。一方、第２子機１２ｂに関しては、第２子機１２ｂにて無線タグ１３を検知していないため、電話機Ｔの名称の欄とユーザＩＤの欄との両方に、第２子機１２ｂの名称である「子機２」が表示されている。
【０１４１】
次に、親機１１は、ユーザからの指示により呼出先が決定されると（Ｓ７２）、決定された呼出先に対し、内線呼出しの信号を送信すると共に、呼出先の情報を送信する。一方、第１子機１２ａは、内線呼出しの信号と呼出先の情報とを受信すると、内線呼出しの報知を行うと共に（Ｓ７３）、呼出先のユーザＩＤを自機の表示部３０に表示させる（Ｓ７４）。
【０１４２】
図２２は、第１子機１２ａの表示部３０に表示される報知画面の一例を示している。図示のように、報知画面には、内線呼出し中である旨と、呼出元である親機１１で検知された無線タグ１３のタグＩＤに対応するユーザＩＤである「お父さん」とが含まれている。
【０１４３】
なお、本実施形態では、ユーザＩＤを送信しているが、タグＩＤを送信してもよい。この場合、タグＩＤからユーザＩＤへの変換は送信先で行われることになる。
【０１４４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１４５】
例えば、上記実施形態では、移動体として無線タグ１３を利用しているが、携帯電話機など、人が携帯可能な任意の携帯デバイスを利用することができる。さらに、カメラで撮影した撮影画像に対し、顔認識技術を利用して顔認識を行うことにより、人間自体を検知したり識別したりしてもよい。
【０１４６】
最後に、電話機Ｔの各ブロック、特に制御部２０は、ハードウェアロジックによって構成してもよいし、次のようにＣＰＵを用いてソフトウェアによって実現してもよい。
【０１４７】
すなわち、電話機Ｔは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである電話機Ｔの制御プログラムのプログラムコード（実行形式プログラム、中間コードプログラム、ソースプログラム）をコンピュータで読み取り可能に記録した記録媒体を、上記電話機Ｔに供給し、そのコンピュータ（またはＣＰＵやＭＰＵ）が記録媒体に記録されているプログラムコードを読み出し実行することによっても、達成可能である。
【０１４８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４９】
また、電話機Ｔを通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１５０】
以上のように、本発明に係る電話システムでは、移動体の存在の有無に応じて、呼出しの報知のタイミング、または呼出しのタイミングを制御することにより、呼出しの報知を効率的に行うことができる。また、呼出元の電話機が呼出しを行う前に、移動体を呼出先の電話機が検知しているか否かを呼出元が把握することができる。従って、本発明は、コードレス電話システムだけでなく、任意の電話システムに対して適用可能である。
【図面の簡単な説明】
【０１５１】
【図１】本発明の一実施形態であるコードレス電話システムに含まれる電話機における制御部が行う処理の流れを示すフローチャートである。
【図２】上記コードレス電話システムの概要を示す図である。
【図３】上記電話機のうち、親機の概略構成を示すブロック図である。
【図４】上記電話機のうち、子機の概略構成を示すブロック図である。
【図５】上記コードレス電話システムに含まれる無線タグの概略構成を示すブロック図である。
【図６】上記電話機における制御部の概略構成を示すブロック図である。
【図７】上記電話機における制御部が行う別の処理の流れを示すフローチャートである。
【図８】本発明の別の実施形態であるコードレス電話システムに含まれる電話機における制御部の概略構成を示すブロック図である。
【図９】上記電話機における制御部が行う処理の流れを示すフローチャートである。
【図１０】本発明の他の実施形態であるコードレス電話システムに含まれる電話機における制御部および記憶部の概略構成を示すブロック図である。
【図１１】同図（ａ）〜（ｃ）は、上記電話機のうち、親機の表示部に表示される呼出先候補の例を示す図である。
【図１２】上記コードレス電話システムに含まれる無線タグを検知した場合に、上記電話機の制御部が行う処理の流れを示すフローチャートである。
【図１３】他の上記電話機からデータを受信した場合に、上記電話機の制御部が行う処理の流れを示すフローチャートである。
【図１４】上記無線タグを検知する処理動作における情報の流れを例示するシーケンス図である。
【図１５】上記処理動作において、上記電話機間で送信されるデータの一例を示す図である。
【図１６】上記電話機の記憶部に記憶される更新後の検知情報テーブルの一例を表形式で示す図である。
【図１７】内線呼出しが指示された場合に、上記電話機の制御部が行う処理の流れを示すフローチャートである。
【図１８】他の上記電話機からの内線呼出しを検知した場合に、上記電話機の制御部が行う処理の流れを示すフローチャートである。
【図１９】上記内線呼出しに関する処理動作における情報の流れを例示するシーケンス図である。
【図２０】上記検知情報テーブルの一例を表形式で示す図である。
【図２１】上記電話機の表示部に表示される呼出先候補を示す図である。
【図２２】他の上記電話機の表示部に表示される報知画面の一例を示す図である。
【符号の説明】
【０１５２】
１０  コードレス電話システム
１１  親機
１２  子機
１３  無線タグ（携帯デバイス）
２０  制御部（通話制御手段）
２１  記憶部（記憶手段）
２２  回線Ｉ／Ｆ部
２３  着信検出部
２４  ＤＴＭＦ信号検出部
２５  ＤＴＭＦ信号生成部
２６  モデム部
２７  クロスポイントスイッチ部
２８  ハンドセット（通話手段）
２９  無線処理部（受信手段）
３０  表示部（報知手段、出力手段）
３１  操作部
３２  スピーカ（報知手段、通話手段）
３３  ＲＦＩＤリーダ／ライタ
４０・７０  検知情報テーブル
４１  録音データ
４５・５０・６０  タグ検知部（移動体検知手段）
４６・６６  呼出検知部（呼出検知手段）
４７・６７  報知制御部（呼出報知制御手段）
５１・６１  検知情報送出部
５２・６２  検知情報取得部（受信手段）
５３  呼出指示取得部
５４  呼出制御部（呼出し手段）
６３  指示情報取得部
６４  呼出先選択部（呼出先選択手段）
６５  呼出制御部（呼出し手段、通話制御手段）
７１  ユーザ・タグ対応テーブル（デバイス・ユーザ対応テーブル）
【図１】
2009005026.tif 000003
【図２】
2009005026.tif 000004
【図３】
2009005026.tif 000005
【図４】
2009005026.tif 000006
【図５】
2009005026.tif 000007
【図６】
2009005026.tif 000008
【図７】
2009005026.tif 000009
【図８】
2009005026.tif 000010
【図９】
2009005026.tif 000011
【図１０】
2009005026.tif 000012
【図１１】
2009005026.tif 000013
【図１２】
2009005026.tif 000014
【図１３】
2009005026.tif 000015
【図１４】
2009005026.tif 000016
【図１５】
2009005026.tif 000017
【図１６】
2009005026.tif 000018
【図１７】
2009005026.tif 000019
【図１８】
2009005026.tif 000020
【図１９】
2009005026.tif 000021
【図２０】
2009005026.tif 000022
【図２１】
2009005026.tif 000023
【図２２】
2009005026.tif 000024